(57)【要約】 【課題】  コンパクトであり、かつ、低コストで製造することができる蜂捕獲具を提供する。【解決手段】  板状に形成され、蜂を捕獲する粘着面１１を有する捕獲部１２を備えた蜂捕獲具１０において、捕獲部１２の端部には折曲線部１３、１３が形成され、折曲線部１３において折曲されることにより形成される蜂捕獲部本体部１４と、蜂捕獲部本体部１４に付着した蜂を収納できると共に、折曲線部１３を介して折曲することにより蜂捕獲部本体部１４に対して折り畳むことが可能に形成されている蜂収納部１５とを有している。【選択図】  図２
2018093807.tif 000002
【特許請求の範囲】
【請求項１】
板状に形成され、蜂を捕獲する粘着面を有する捕獲部を備えた蜂捕獲具において、
前記捕獲部の端部には折曲線部が形成され、前記折曲線部において折曲されることにより形成される蜂捕獲部本体部と、前記蜂捕獲部本体部に付着した蜂を収納できると共に、前記折曲線部を介して折曲することにより前記蜂捕獲部本体部に対して折り畳むことが可能に形成されている蜂収納部とを有することを特徴とする蜂捕獲具。
【請求項２】
全体長方形板状に形成されると共に前記折曲線部は幅方向に沿って設けられ、
前記折曲線部は第一折曲線部と、前記第一折曲線部の内方に設けられた第二折曲線部とからなり、前記第二折曲線部において折曲されることにより前記蜂捕獲部本体部が形成されると共に、前記第一折曲線部において折曲されることにより前記蜂収納部は、蜂収納部底部と、前記蜂収納部底部の端部から立設される蜂収納部側板部とにより構成されることを特徴とする請求項１記載の蜂捕獲具。
【請求項３】
前記第二折曲線部は長さ方向中央に形成されており、前記蜂捕獲部本体部及び前記蜂収納部の周縁には、非粘着部である周縁部が粘着面よりも面上方に突出して形成されていることを特徴とする請求項２記載の蜂捕獲具。
【請求項４】
前記蜂捕獲部本体部又は蜂収納部の内方には、前記第二折曲線部を介して長さ方向に折り畳んだ場合に、前記蜂捕獲部本体部の内方面部又は蜂収納部の内方面部に当接しうる凸部が設けられていることを特徴とする請求項３記載の蜂捕獲具。
【請求項５】
前記捕獲部は濃色により形成されていることを特徴とする請求項１記載の蜂捕獲具。
【請求項６】
前記粘着面を構成する粘着剤には、殺虫成分が混入されていることを特徴とする請求項１記載の蜂捕獲具。
【請求項７】
前記捕獲部には支持部材が取り付けられていることを特徴とする請求項１記載の蜂捕獲具。
【発明の詳細な説明】
【技術分野】
【０００１】
本発明は、蜂を捕獲するための蜂捕獲具に関するものである。
【背景技術】
【０００２】
蜂としてスズメバチを例に説明する。一般に、スズメバチの駆除は、巣を除去し、巣の周囲に飛んでいるスズメバチを捕獲又は殺虫することで行われている。さらに、スズメバチを完全に駆除するためには、巣を離れていたスズメバチも併せて駆除をする必要があった。
しかしながら、巣を離れていたスズメバチは、巣を取り除いた後に、巣のあった場所にいつ戻ってくるかわからないことから、このような蜂を確実に捕獲し、駆除することが難しいという問題があった。
【０００３】
このような問題を解消するため、例えば、特許文献１には、捕獲後の蜂を簡単に廃棄することのできる蜂捕獲具を提供することを目的として、平板状の基板の表面及び裏面に粘着剤を塗布して蜂を捕獲するための粘着面を形成した粘着基板を有し、粘着基板の下部に廃棄箱を取り付けて当該廃棄箱により前記粘着基板の粘着面より落下する蜂を受け、かつ蜂の捕獲後にその粘着基板を廃棄箱に収納して当該廃棄箱と共に廃棄するという技術が開示されている。
【０００４】
しかし、特許文献１にあっては、廃棄箱を別途設けていることから、廃棄箱が嵩張るために持ち運びに不便であると共に狭い箇所に設置することが難しいという不具合があった。また、廃棄箱を別途製造するためのコストがかかるという不具合もあった。
【先行技術文献】
【特許文献】
【０００５】
【特許文献１】実用新案登録第３０１３４０２号公報
【発明の概要】
【発明が解決しようとする課題】
【０００６】
本発明は、以上のような従来からの不具合を解消するためのものであって、その課題は、コンパクトであり、かつ、低コストで製造することができる蜂捕獲具を提供することにある。
【課題を解決するための手段】
【０００７】
前記課題を解決するために、請求項１記載の発明にあっては、板状に形成され、蜂を捕獲する粘着面を有する捕獲部を備えた蜂捕獲具において、前記捕獲部の端部には折曲線部が形成され、前記折曲線部において折曲されることにより形成される蜂捕獲部本体部と、前記蜂捕獲部本体部に付着した蜂を収納できると共に、前記折曲線部を介して折曲することにより前記蜂捕獲部本体部に対して折り畳むことが可能に形成されている蜂収納部とを有することを特徴とする。
【０００８】
従って、前記捕獲部を前記折曲線部において折曲した場合には前記蜂捕獲部本体部と前記蜂収納部とが形成され、前記蜂捕獲部本体部に付着した蜂が前記蜂収納部に収納される。
また、前記蜂収納部を前記接着面を内側にして前記折曲線部を介して折曲した場合には、前記蜂収納部が前記蜂捕獲部本体部に対して折り畳まれ、前記蜂収納部に収納された蜂は、前記蜂捕獲部本体部と前記蜂収納部との間に挟持される。
【０００９】
請求項２記載の発明にあっては、全体長方形板状に形成されると共に前記折曲線部は幅方向に沿って設けられ、前記折曲線部は第一折曲線部と、前記第一折曲線部の内方に設けられた第二折曲線部とからなり、前記第二折曲線部において折曲されることにより前記蜂捕獲部本体部が形成されると共に、前記第一折曲線部において折曲されることにより前記蜂収納部は、蜂収納部底部と、前記蜂収納部底部の端部から立設される蜂収納部側板部とにより構成されることを特徴とする。
【００１０】
従って、前記第二折曲線部において折曲した場合には前記蜂捕獲部本体部と前記蜂収納部とが形成されると共に、前記第一折曲線部において折曲した場合には前記蜂収納部底部と前記蜂収納部側板部とにより構成された前記蜂収納部が形成される。
【００１１】
請求項３記載の発明にあっては、前記第二折曲線部は長さ方向中央に形成されており、前記蜂捕獲部本体部及び前記蜂収納部の周縁には、非粘着部である周縁部が前記粘着面よりも面上方に突出して形成されていることを特徴とする。
従って、前記粘着面を内側にして前記第二折曲線部において折曲した場合には、前記蜂捕獲部本体部の周縁部と前記蜂収納部の周縁部とが当接して折り畳まれる。
【００１２】
請求項４記載の発明にあっては、前記蜂捕獲部本体部又は蜂収納部の内方には、前記第二折曲線部を介して長さ方向に折り畳んだ場合に、前記蜂捕獲部本体部の内方面部又は蜂収納部の内方面部に当接しうる凸部が設けられていることを特徴とする。
従って、前記第二折曲線部を介して長さ方向に折り畳んだ場合には、前記凸部が前記蜂捕獲部本体部の内方面部又は蜂収納部の内方面部に当接する。
【００１３】
請求項５記載の発明にあっては、前記捕獲部は濃色により形成されていることを特徴とする。
【００１４】
請求項６記載の発明にあっては、前記粘着面を構成する粘着剤には、殺虫成分が混入されていることを特徴とする。
従って、前記捕獲部に蜂が捕獲された場合には、殺虫成分が混入された前記粘着剤が蜂に付着する。
【００１５】
請求項７記載の発明にあっては、前記捕獲部には支持部材が取り付けられていることを特徴とする。
【発明の効果】
【００１６】
請求項１記載の蜂捕獲具にあっては、前記捕獲部を前記折曲線部において折曲した場合には前記蜂捕獲部本体部と前記蜂収納部とが形成され、前記蜂捕獲部本体部に付着した蜂が前記蜂収納部に収納される。
従って、前記捕獲部を前記折曲線部において折曲するだけで前記蜂収納部を形成することができるので、従来のように廃棄箱を別途設ける必要がなく、蜂を捕獲し収納することができ、さらに、持ち運びが容易であると共に、狭い箇所にも設置することができる。
その結果、コンパクトであり、かつ、低コストで製造することができる蜂捕獲具を提供することができる。
【００１７】
また、請求項１記載の蜂捕獲具にあっては、前記蜂収納部を前記接着面を内側にして前記折曲線部を介して折曲した場合には、前記蜂収納部が前記蜂捕獲部本体部に対して折り畳まれ、前記蜂収納部に収納された蜂は、前記蜂捕獲部本体部と前記蜂収納部との間に挟持されるので、前記蜂捕獲部本体部に蜂を捕獲した後には、前記蜂捕獲部本体部に付着した蜂を前記蜂収納部に収納した後に、前記折曲線部において折り畳むことによって、前記蜂捕獲部本体部と前記蜂収納部との間に前記蜂を挟持した状態で前記蜂捕獲具を廃棄することができる。その結果、捕獲した蜂を安全に処理することができる。
【００１８】
請求項２記載の蜂捕獲具にあっては、前記第二折曲線部において折曲した場合には前記蜂捕獲部本体部と前記蜂収納部とが形成されると共に、前記第一折曲線部において折曲した場合には前記蜂収納部底部と前記蜂収納部側板部とにより構成された前記蜂収納部が形成される。
従って、全体長方形板状に形成された前記蜂捕獲具を第一折曲線部及び第二折曲線部において折曲するだけで、前記蜂収納部底部と前記蜂収納部側板部とにより構成された前記蜂収納部を容易に形成することができる。
その結果、前記蜂捕獲部本体部に付着した蜂を前記蜂収納部に確実に収納して捕獲することができる。
【００１９】
請求項３記載の蜂捕獲具にあっては、前記第二折曲線部は長さ方向中央に形成されており、前記蜂捕獲部本体部及び前記蜂収納部の周縁には、非粘着部である周縁部が前記粘着面よりも面上方に突出して形成されている。
従って、前記粘着面を内側にして前記第二折曲線部において折曲した場合には、前記粘着面よりも面上方に突出して形成された前記蜂捕獲部本体部の周縁部と前記蜂収納部の周縁部とが当接して折り畳まれるので、前記粘着面同士が接触することを防止することができる。
また、蜂は、前記蜂捕獲部本体部及び前記蜂収納部の周縁部よりも内方の前記粘着面に付着した状態で捕獲される。その結果、前記蜂収納部に収納した蜂を前記蜂捕獲具の内方に収納した状態で折り畳んで、前記蜂捕獲具を安全に廃棄等の処分をすることができる。
【００２０】
請求項４記載の蜂捕獲具にあっては、前記第二折曲線部を介して長さ方向に折り畳んだ場合には、前記凸部が前記蜂捕獲部本体部の内方面部又は蜂収納部の内方面部に当接するので、前記粘着面同士が直接接触することを確実に防止することができる。
【００２１】
請求項５記載の蜂捕獲具にあっては、前記捕獲部は濃色により形成されているので、蜂、特にスズメバチは黒や茶等の濃色に攻撃する習性があるという知見が得られていることから、蜂が濃色に形成された前記捕獲部に捕獲されやすくなるという効果を奏する。
【００２２】
請求項６記載の蜂捕獲具にあっては、前記粘着面を構成する粘着剤には、殺虫成分が混入されているので、前記蜂捕獲部本体部に蜂が付着した場合には、殺虫成分が混入された前記粘着剤が蜂に付着する。その結果、前記捕獲部に付着した捕獲した蜂を殺虫することができる。
【００２３】
請求項７記載の蜂捕獲具にあっては、前記捕獲部には支持部材が取り付けられているので、前記蜂捕獲具を前記支持部材を介して、木等に吊り下げて使用することができる。
【図面の簡単な説明】
【００２４】
【図１】図１は、本考案に係る蜂捕獲具の一実施形態を示す正面側斜視図である。
【図２】図２は、本考案に係る蜂捕獲具の一実施形態において、第一折曲線部及び第二折曲線部において折曲した状態を示す正面側斜視図である。
【図３】図３は、本考案に係る蜂捕獲具の一実施形態において、第二折曲線部を介して長さ方向に折り畳んだ状態を示す正面側斜視図である。
【図４】図３は、本考案に係る蜂捕獲具の一実施形態において、第二折曲線部を介して長さ方向に折り畳んだ状態を示す背面側斜視図である。
【発明を実施するための形態】
【００２５】
以下、本発明の一実施の形態に係る蜂捕獲具を、図面を参照して詳細に説明する。
図１〜図４に示すように、本実施の形態に係る蜂捕獲具１０は、全体紙製であって、長方形板状に形成され、蜂を捕獲する粘着面１１を有する捕獲部１２を備えている。
また、図１〜図４に示すように、本実施の形態に係る蜂捕獲具１０は、捕獲部１２の端部には折曲線部１３が形成され、折曲線部１３において折曲されることにより形成される蜂捕獲部本体部１４と、蜂捕獲部本体部１４に付着した蜂を収納できると共に、折曲線部１３を介して折曲することにより蜂捕獲部本体部１４に対して折り畳むことが可能に形成されている蜂収納部１５とを有している。
【００２６】
図１〜図４に示すように、本実施の形態に係る蜂捕獲具１０は、折曲線部１３は幅方向に沿って設けられ、折曲線部１３は第一折曲線部１６と、第一折曲線部１６の内方に設けられた第二折曲線部１７とからなり、第二折曲線部１７において折曲されることにより蜂捕獲部本体部１４が形成されると共に、第一折曲線部１６において折曲されることにより蜂収納部１５は、蜂収納部底部１８と、蜂収納部底部１８の端部から立設される蜂収納部側板部１９とにより構成されている。
図示しないが、本実施の形態に係る蜂捕獲具１０にあっては、第一折曲線部１６において折曲された状態で粘着テープ等により固定することで、蜂収納部底部１８及び蜂収納部側板部１９により構成される蜂収納部１５が形成された状態を維持することができる。
【００２７】
図１〜図４に示すように、本実施の形態に係る第二折曲線部１７は長さ方向中央に形成されており、蜂捕獲部本体部１４及び蜂収納部１５の周縁には、非粘着部である周縁部２０、２０・・・が粘着面１１よりも面上方に突出して形成されている。
【００２８】
図１及び図２に示すように、本実施の形態に係る蜂捕獲部本体部１４の内方及び蜂収納部１５の内方には、第二折曲線部１７を介して長さ方向に折り畳んだ場合に、蜂捕獲部本体部１４の内方面部２１、蜂収納部１５の内方面部２２に当接しうる凸部２３、２３が、夫々、設けられている。
図１及び図２に示すように、本実施の形態に係る凸部２３、２３は、粘着面１１と周縁部２０との間隔寸法と同一の厚さ寸法を有するリング状に形成されている。
図１及び図２に示すように、本実施の形態に係る凸部２３、２３は、蜂捕獲部本体部１４及び蜂収納部１５の幅方向及び長さ方向略中央に設けられ、捕獲部１２を第二折曲線部１７を介して長さ方向に折り畳んだ場合に、凸部２３、２３が互いに当接するように構成されている。
【００２９】
本実施の形態に係る捕獲部１２は、濃色により形成されている。また、図１及び図２に示すように、本実施の形態に係る粘着面１１を構成する粘着剤には殺虫成分が混入されると共に、粘着剤は捕獲部１２に対して略波状の凹凸を以って塗布されている。
【００３０】
図１〜図４に示すように、本実施の形態に係る捕獲部１２には金属製のワイヤーにより構成された支持部材２４が取り付けられている。
図１〜図４に示すように、本実施の形態に係る捕獲部１２には、捕獲部１２の厚さ方向に貫通する孔部２５、２５・・・が設けられている。本実施の形態に係る支持部材２４は、蜂捕獲部本体部１４の反第一折曲線部側の周縁部２０ａに設けられた孔部２５ａ、２５ａに挿通固定されている。
【００３１】
以下、本実施の形態に係る蜂捕獲具１０の作用について、添付図面を参照して説明する。
図３及び図４に示すように、本実施の形態に係る蜂捕獲具１０は、第二折曲線部１７を介して粘着面１１を内側にして折り畳まれた状態で保管、持ち運ぶことができる。
続いて、図１〜図４に示すように、本実施の形態に係る蜂捕獲具１０を第二折曲線部１７において開くと、粘着面１１を有する捕獲部１２が露出する。なお、この状態で蜂を捕獲部１２によって捕獲することもできる。
続いて、図１及び図２に示すように、本実施の形態に係る蜂捕獲具１０を、第一折曲線部１６において折曲した場合には蜂収納部底部１８と蜂収納部側板部１９とにより構成された蜂収納部１５が形成される。
このように、第一折曲線部１６において折曲した状態で粘着テープ等により固定することで、蜂収納部底部１８及び蜂収納部側板部１９により構成される蜂収納部１５が形成された状態を維持することができる。
【００３２】
続いて、図１〜図４に示すように、本実施の形態に係る蜂捕獲具１０にあっては、捕獲部１２に取り付けられた支持部材２４によって、蜂の巣が近くにある場所、又は、蜂の巣があった場所において、木等に吊り下げて使用する。
本実施の形態に係る蜂捕獲具１０にあっては、蜂が粘着面１１に接触した場合には、粘着面１１の粘着力により捕獲部１２に捕獲される。特に、蜂捕獲部本体部１４に捕獲された蜂が粘着面１１から落下した場合には、蜂収納部１５に蜂が収納される。
【００３３】
従って、以上のことから、図１〜図４に示すように、本実施の形態に係る蜂捕獲具１０にあっては、捕獲部１２を折曲線部１３、１３において折曲した場合には蜂捕獲部本体部１４と蜂収納部１５とが形成され、蜂捕獲部本体部１４に付着した蜂が蜂収納部１５に収納される。
従って、捕獲部１２を折曲線部１３、１３において折曲するだけで蜂収納部１５を形成することができるので、従来のように廃棄箱を別途設ける必要がなく、蜂を捕獲し収納することができ、さらに、持ち運びが容易であると共に、狭い箇所にも設置することができる。
その結果、コンパクトであり、かつ、低コストで製造することができる蜂捕獲具を提供することができる。
【００３４】
また、図１〜図４に示すように、本実施の形態に係る蜂捕獲具１０にあっては、蜂収納部１５を接着面１１を内側にして折曲線部１３を介して折曲した場合には、蜂収納部１５が蜂捕獲部本体部１４に対して折り畳まれ、蜂収納部１５に収納された蜂は、蜂捕獲部本体部１４と蜂収納部１５との間に挟持されるので、蜂捕獲部本体部１４に蜂を捕獲した後には、蜂捕獲部本体部１４に付着した蜂を蜂収納部１５に収納した後に、折曲線部１３において折り畳むことによって、蜂捕獲部本体部１４と蜂収納部１５との間に前記蜂を挟持した状態で蜂捕獲具１０を廃棄することができる。その結果、捕獲した蜂を安全に処理することができる。
なお、蜂が粘着面１１に接触した場合には、粘着面１１の粘着力により捕獲されるが、蜂が粘着面１１に捕獲され、蜂捕獲部本体部１４に付着した場合には、他の蜂が前記付着した蜂の動きや音に引き寄せられるという知見が得られている。従って、他の蜂も連鎖的に粘着面１１に捕獲され、その結果、本実施の形態に係る蜂捕獲具１０にあっては、多数の蜂を捕獲することができる。
【００３５】
特に、図１〜図４に示すように、本実施の形態に係る蜂捕獲具１０にあっては、第二折曲線部１７において折曲した場合には蜂捕獲部本体部１４と蜂収納部１５とが形成されると共に、第一折曲線部１６において折曲した場合には蜂収納部底部１８と蜂収納部側板部１９とにより構成された蜂収納部１５が形成される。
従って、全体長方形板状に形成された蜂捕獲具１０を第一折曲線部１６及び第二折曲線部１７において折曲するだけで、蜂収納部底部１８と蜂収納部側板部１９とにより構成された蜂収納部１５を容易に形成することができる。
その結果、蜂捕獲部本体部１４に付着した蜂を蜂収納部１５に確実に収納して捕獲することができる。
【００３６】
図１及び図２に示すように、本実施の形態に係る蜂捕獲具１０にあっては、第二折曲線部１７は長さ方向中央に形成されており、蜂捕獲部本体部１４及び蜂収納部１５の周縁には、非粘着部である周縁部２０、２０・・・が粘着面１１よりも面上方に突出して形成されている。
従って、粘着面１１を内側にして第二折曲線部１７において折曲した場合には、粘着面１１よりも面上方に突出して形成された蜂捕獲部本体部１４の周縁部２０、２０・・・と蜂収納部１５の周縁部２０、２０・・・とが当接して折り畳まれるので、粘着面１１、１１同士が接触することを防止することができる。
また、蜂は、蜂捕獲部本体部１４及び蜂収納部１５の周縁部２０、２０・・・よりも内方の粘着面１１に付着した状態で捕獲される。その結果、蜂収納部１５に収納した蜂を蜂捕獲具１０の内方に収納した状態で折り畳んで、蜂捕獲具１０を安全に廃棄等の処分をすることができる。
【００３７】
また、図１及び図２に示すように、本実施の形態に係る蜂捕獲具１０にあっては、第二折曲線部１７を介して長さ方向に折り畳んだ場合には、凸部２３、２３が蜂捕獲部本体部１４の内方面部２１、又は、蜂収納部１５の内方面部２２に当接するので、粘着面１１、１１同士が直接接触することを確実に防止することができる。
特に、図１及び図２に示すように、本実施の形態に係る凸部２３、２３にあっては、蜂捕獲部本体部１４及び蜂収納部１５の幅方向及び長さ方向略中央に設けられ、捕獲部１２を第二折曲線部１７を介して長さ方向に折り畳んだ場合に、凸部２３、２３が互いに当接するように構成されているので、粘着面１１、１１同士が直接接触することをより確実に防止することができる。
【００３８】
本実施の形態に係る捕獲部１２にあっては、濃色により形成されているので、蜂、特にスズメバチは黒や茶等の濃色に攻撃する習性があるという知見が得られていることから、蜂が濃色に形成された捕獲部１２に捕獲されやすくなるという効果を奏する。
【００３９】
また、本実施の形態に係る蜂捕獲具１０にあっては、粘着面１１を構成する粘着剤には、殺虫成分が混入されているので、蜂捕獲部本体部１４に蜂が付着した場合には、殺虫成分が混入された前記粘着剤が蜂に付着する。その結果、捕獲部１２に付着した捕獲した蜂を殺虫することができる。
【００４０】
図１〜図４に示すように、本実施の形態に係る捕獲部１２にあっては、支持部材２４が取り付けられているので、蜂捕獲具１０を支持部材２４を介して、木等に吊り下げて使用することができる。
【００４１】
本実施の形態にあっては、粘着面１１を構成する粘着剤には殺虫成分が混入されている場合を例に説明したが、前記構成に限定されず、使用者の安全のために殺虫成分を混入しない粘着剤を採用することもできる。
【産業上の利用可能性】
【００４２】
本発明に係る蜂捕獲具は、蜂の捕獲具として広く利用可能であり、産業上利用可能性を有している。
【符号の説明】
【００４３】
１０：蜂捕獲具
１１：粘着面
１２：捕獲部
１３：折曲線部
１４：蜂捕獲部本体部
１５：蜂収納部
１６：第一折曲線部
１７：第二折曲線部
１８：蜂収納部底部
１９：蜂収納部側板部
２０、２０ａ：周縁部
２１、２２：内方面部
２３：凸部
２４：支持部材
２５、２５ａ：孔部
【図１】
2018093807.tif 000003
【図２】
2018093807.tif 000004
【図３】
2018093807.tif 000005
【図４】
2018093807.tif 000006